(57)【要約】【課題】旋盤タレット台はタレット台に複数のタレットを設置可能で、しかも該各タレットは多角度の回転が可能で、これにより全方位の切削作業を行うことができる自ら任意に３６０度回転が可能な動力サーボタレット台の提供。【解決手段】旋盤台、タレットテーブル、タレット、タレット回転装置を含む。該タレットテーブル周縁には少なくとも１個のタレットを挿入設置し、該タレット内には必要な各式のカッター工具をそれぞれ設置する。必要なカッター工具を設置したタレットが該タレットテーブルに従い、予定の作業区域まで回転移動すると、該タレット回転装置はそれが含むサーボモーターにより関連構成部品を連動し、必要なカッター工具を設置するタレットは必要に応じて３６０度の任意回転を行い、こうして該カッター工具は多角度の加工作動が可能で、全方位の切削作業を行うことができる。【選択図】図２
0003129696.tif 000002
【実用新案登録請求の範囲】
【請求項１】
旋盤台、タレットテーブル、少なくとも１個のタレット、タレット回転装置を含み、
該タレットテーブルはピボットにより該旋盤台上に可動設置し、該タレットテーブルはテーブル台と固定リングを含み、該テーブル台周縁には複数の設置孔を開設し、該固定リング上には該設置孔位置に対応し複数の受動ギアを可動設置し、該各受動ギアの反対端は該設置孔内に可動設置され、
該少なくとも１個のタレットは該設置孔にそれぞれ挿入設置し、該各タレットはそれぞれ少なくとも１個のカッター工具と連動部品を設置し、該連動部品は該受動ギアと相互に噛み合い接続し、
該タレット回転装置は該旋盤台上に設置し、該タレット回転装置はサーボモーター、伝動棒、該伝動棒に接続する伝動ギア、該伝動ギアと相互に噛み合い接続するギアホイールを含み、該伝動棒は該サーボモーターと相互に接続し、該タレットテーブル内に穿設され、該ギアホイールは該受動ギアの１つと偏心を呈し相互に噛み合い、これにより該受動ギアを連動し、該受動ギアはさらに該タレット内の連動部品を連動し、該タレットを回転させることを特徴とする自ら任意に３６０度回転が可能な動力サーボタレット台。
【請求項２】
請求項１記載の自ら任意に３６０度回転が可能な動力サーボタレット台において、前記連動部品は連動ギア組、該連動ギア組と相互に連動接続するウォーム棒、該タレットと相互に固設するウォームホイールを含み、
該連動ギア組は該受動ギアにより連動され、さらに該ウォーム棒と該ウォームホイールを連動し、該タレットを回転させることを特徴とする自ら任意に３６０度回転が可能な動力サーボタレット台。
【請求項３】
請求項１記載の自ら任意に３６０度回転が可能な動力サーボタレット台において、前記旋盤台はさらに接設凸ブロックを設置し、該接設凸ブロックは該ピボットを可動接続し、該接設凸ブロック外縁にはさらに該ピボットにおいて偏心を呈するベアリングを設置し、該ベアリング外縁には該ギアホイールを設置することを特徴とする自ら任意に３６０度回転が可能な動力サーボタレット台。
【請求項４】
請求項１記載の自ら任意に３６０度回転が可能な動力サーボタレット台において、前記タレット台はさらにカッター工具回転装置を設置し、該各タレットはそれぞれ作動ギアを接続し、該作動ギアは該カッター工具と相互に連動接続され、該カッター工具回転装置は該作動ギアと相互に連動接続し、これにより該カッター工具を回転させることを特徴とする自ら任意に３６０度回転が可能な動力サーボタレット台。
【請求項５】
請求項４記載の自ら任意に３６０度回転が可能な動力サーボタレット台において、前記カッター工具回転装置は駆動モーターを含み、該駆動モーターはギア組を連動接続し、該ギア組はさらに駆動棒を連動接続し、該駆動棒は該タレット内に穿設し、該傘状ギアと相互に連動接続し、該傘状ギアは該作動ギアと相互に噛み合い、これにより該カッター工具を回転させることを特徴とする自ら任意に３６０度回転が可能な動力サーボタレット台。
【考案の詳細な説明】
【技術分野】
【０００１】
本考案は一種の旋盤タレット台に関する。特に一種のタレット台において複数のタレットを設置可能で、しかも該タレットは多角度の回転が可能で、これにより全方位の切削作業を行うことができる自ら任意に３６０度回転が可能な動力サーボタレット台に係る。
【背景技術】
【０００２】
旋盤は機能が強大な精密機械工具である。それは機器の作業区域内において必要と目的に応じてタレット内にカッター、スクリューカッター、ドリル、スクリュータップなど多種の切削工具を取り付け、該カッター工具を制御し、予定の手順に従い作業物件に対して切削を行い、切削作業を完成するものである。
加工の過程において、物件は異なるカッター工具による処理を経る必要があるため、タレット内では絶えず適当なカッター工具に交換し切削作業を行わなければならない。そのため、モーターを利用し直接回転を駆動するタレットテーブルが開発された。
該タレットテーブル周囲には異なるカッター工具を設置する複数組のタレットを固定し、内の１個のカッター工具が作業物件に対して加工を完了すると、操作者はモーターを制御しタレットテーブルを駆動し、予定の位置まで回転させ、別のカッター工具を設置するタレットを加工位置まで移動させ、加工処理を継続する。
この種のモーター駆動式タレットテーブルは必要に応じて随時カッター工具を交換することができ、加工効率を増進することができる。しかし、タレットはタレットテーブル上に固設されるため、モーターがタレットテーブルを駆動し回転させる時、該タレットはタレットテーブルに従い予定の位置まで移動しても、固設されたタレット本体は自身では回転できないため、タレットに設置するカッター工具もタレットテーブルの軸方向に向かい作業物件に対して作動できるだけである。すなわち、カッター工具が行うことができる切削作業の範囲はある単一の方向内に限定され、全方位の作動を行うことができない。このため、該機具の実用性と利便性を大幅に低下させてしまっている。
もしタレットをタレットテーブル周縁に可動接続し、回転機構を設置し、タレットテーブルにおける回転の過程に用い、同時にタレットの回転を駆動することができれば、作業範囲を大幅に拡大可能で、旋盤は最大の効果を発揮することができる。
【考案の開示】
【考案が解決しようとする課題】
【０００３】
本考案は主に公知のモーター駆動式のタレットテーブル固設のタレットが、製造工程においてタレットテーブルに従い予定の位置まで移動しても、タレット自体が自ら回転できないため、その切削作業範囲を限定し、しかも機具の作業性能を低下させてしまうという欠点を解決するために、本考案は自ら任意に３６０度回転が可能な動力サーボタレット台を提供し、タレットテーブルが作業区域に回転移動すると、該作業区域内に位置するタレットは必要な加工角度まで任意に回転し、タレットに設置するカッター工具の作業可能区域と作業方式を拡大し、また全方位の切削作業を可能とし、製造工程の実用性と利便性を増進することができる。
【０００４】
上述の目的のため、本考案は自ら任意に３６０度回転が可能な動力サーボタレット台を提供し、それは主に旋盤台、タレットテーブル、タレット、タレット回転装置、カッター工具回転装置を含み、
該タレットテーブル周縁には少なくとも１個のタレットを挿入設置し、該タレット内には必要な各式のカッター工具をそれぞれ設置し、該タレットは該タレットテーブル周縁において開設する設置孔内に挿入設置し、しかも該タレット内には連動部品と伝動棒を設置し、
該タレットテーブルはテーブル台と固定リングを含み、該固定リング上には該連動部品と相互に接続する複数の受動ギアを可動設置し、しかも該各受動ギアの反対端は該テーブル台と相互に可動設置され、これにより該各受動ギアは該テーブル台と該固定リング間において回転可能となり、同時に該受動ギアは該設置孔内に可動設置され、
該タレットが該タレットテーブルに従い、予定の作業区域まで回転移動すると、該タレット回転装置はそれが設置するサーボモーターにより該サーボモーターと相互に連動接続し、該タレットテーブル内に穿設する伝動棒、該伝動棒に連動接続する伝動ギア、及び該伝動ギアと相互に噛み合い接続するギアホイールを順番に駆動し、しかも該ギアホイールは偏心を呈し該各受動ギアと相互に噛み合い、これにより該受動ギアを連動し、こうして該受動ギアは該タレット内の連動部品を連動し、該作業区域内に位置し、しかも必要なカッター工具を含むタレットを回転させ、同時に該必要なカッター工具はさらに該カッター工具回転装置により、それが含む駆動モーター、該駆動モーターと相互に連動接続するギア組、該ギア組と相互に連動接続する駆動棒を順番に駆動し、しかも該駆動棒は該タレットテーブル内に穿設され、傘上ギアと相互に連動接続し、該傘状ギアは該カッター工具と連動接続する作動ギアと相互に噛み合い、これにより該カッター工具を回転させ、こうして切削加工を行うことができるようになり、よって作業区域に位置するタレットは加工の必要に応じて３６０度の任意の回転が可能で、しかも該カッター工具は多角度の加工作動が加工で、全方位の切削作業を行うことができる自ら任意に３６０度回転が可能な動力サーボタレット台を提供する。
【課題を解決するための手段】
【０００５】
請求項１の考案は、旋盤台、タレットテーブル、少なくとも１個のタレット、タレット回転装置を含み、
該タレットテーブルはピボットにより該旋盤台上に可動設置し、該タレットテーブルはテーブル台と固定リングを含み、該テーブル台周縁には複数の設置孔を開設し、該固定リング上には該設置孔位置に対応し複数の受動ギアを可動設置し、該各受動ギアの反対端は該設置孔内に可動設置され、
該少なくとも１個のタレットは該設置孔にそれぞれ挿入設置し、該各タレットはそれぞれ少なくとも１個のカッター工具と連動部品を設置し、該連動部品は該受動ギアと相互に噛み合い接続し、
該タレット回転装置は該旋盤台上に設置し、該タレット回転装置はサーボモーター、伝動棒、該伝動棒に接続する伝動ギア、該伝動ギアと相互に噛み合い接続するギアホイールを含み、該伝動棒は該サーボモーターと相互に接続し、該タレットテーブル内に穿設され、該ギアホイールは該受動ギアの１つと偏心を呈し相互に噛み合い、これにより該受動ギアを連動し、該受動ギアはさらに該タレット内の連動部品を連動し、該タレットを回転させることを特徴とする自ら任意に３６０度回転が可能な動力サーボタレット台としている。
請求項２の考案は、請求項１記載の自ら任意に３６０度回転が可能な動力サーボタレット台において、前記連動部品は連動ギア組、該連動ギア組と相互に連動接続するウォーム棒、該タレットと相互に固設するウォームホイールを含み、
該連動ギア組は該受動ギアにより連動され、さらに該ウォーム棒と該ウォームホイールを連動し、該タレットを回転させることを特徴とする自ら任意に３６０度回転が可能な動力サーボタレット台としている。
請求項３の考案は、請求項１記載の自ら任意に３６０度回転が可能な動力サーボタレット台において、前記旋盤台はさらに接設凸ブロックを設置し、該接設凸ブロックは該ピボットを可動接続し、該接設凸ブロック外縁にはさらに該ピボットにおいて偏心を呈するベアリングを設置し、該ベアリング外縁には該ギアホイールを設置することを特徴とする自ら任意に３６０度回転が可能な動力サーボタレット台としている。
請求項４の考案は、請求項１記載の自ら任意に３６０度回転が可能な動力サーボタレット台において、前記タレット台はさらにカッター工具回転装置を設置し、該各タレットはそれぞれ作動ギアを接続し、該作動ギアは該カッター工具と相互に連動接続され、該カッター工具回転装置は該作動ギアと相互に連動接続し、これにより該カッター工具を回転させることを特徴とする自ら任意に３６０度回転が可能な動力サーボタレット台としている。
請求項５の考案は、請求項４記載の自ら任意に３６０度回転が可能な動力サーボタレット台において、前記カッター工具回転装置は駆動モーターを含み、該駆動モーターはギア組を連動接続し、該ギア組はさらに駆動棒を連動接続し、該駆動棒は該タレット内に穿設し、該傘状ギアと相互に連動接続し、該傘状ギアは該作動ギアと相互に噛み合い、これにより該カッター工具を回転させることを特徴とする自ら任意に３６０度回転が可能な動力サーボタレット台としている。
【考案の効果】
【０００６】
本考案自ら任意に３６０度回転が可能な動力サーボタレット台はタレットテーブルが予定の作業区域まで回転移動した時、この位置のタレットは同時に多角度の任意回転を行い全方位の切削作業を行うことができる。これによりその作業範囲を拡大し、旋盤タレットの工業製造工程における性能と応用性を増進することができる。また本考案のタレットテーブル上には異なる切削機能のカッター工具を備えたタレットを同時に複数設置することができるため、便利に直接交換が可能で、同時に作業物件に対して必要な形態の加工を行うことができ、作業時間を節減可能で、迅速かつ簡単便利な工業量産の目的を達成することができる。
【考案を実施するための最良の形態】
【０００７】
本考案実施例自ら任意に３６０度回転が可能な動力サーボタレット台の組合せ立体図及び分解立体図である図１、２に示すように、本考案実施例自ら任意に３６０度回転が可能な動力サーボタレット台は旋盤台１０、タレットテーブル２０、カッター工具回転装置４０、タレット回転装置５０を含む。
該タレットテーブル２０周縁には複数のタレット３０を挿入設置することができ、該タレット３０内にはそれぞれ必要な各式のカッター工具３１を設置する。内、該タレット３０は該タレットテーブル２０に従い、予定の作業区域Ｗ（図３参照）まで回転移動し、該タレット回転装置５０が含むサーボモーター５１により関連構成部品を連動する。これにより必要な型式のカッター工具３１を設置するタレット３０は製造工程の必要に応じて３６０度の任意回転を行い、該カッター工具回転装置４０が含む駆動モーター４１により関連構成部品を駆動し、該タレット３０内のカッター工具３１を回転させる。こうして多角度の作動が可能で、全方位の切削作業を行うことができるようになる。
【０００８】
該旋盤台１０は接設凸ブロック１１を設置し、該接設凸ブロック１１の端面にはピボット１２を可動接続することができる。該ピボット１２の一端は該タレットテーブル２０の中心位置に接続可能で、これにより動力を出力する時、該タレットテーブルを回転させる。
この他、該接設凸ブロック１１上には該作業区域Ｗ（図３参照）位置に向かって通孔１１１を設置し、これにより該カッター工具回転装置４０と相互に連動する一部の関連構成部品を穿設し、さらに四艇作業区域内に位置するカッター工具３１を回転させることができる。
別に、該旋盤台１０には貫孔１０１を設置し、該貫孔１０１は該タレット回転装置５０と相互に連動する一部の関連構成部品と穿設し、これにより動力を出力する時、該タレット３０は多角度の切削加工を行うことができる。
【０００９】
該タレットテーブル２０は該ピボット１２により該旋盤台１０上に可動設置され、しかも該ピボット１２は該タレットテーブル２０を回転させるモーター（図示なし）と相互に接続し、これにより該タレットテーブル２０を回転させる。該タレットテーブル２０はテーブル台２１、固定リング２２を含む。該テーブル台２１周縁には複数の設置孔２１１を設置し、これにより異なる型式のカッター工具３１を積載するタレット３０をそれぞれ設置する。該テーブル台２１のテーブル面には複数の固定孔２３を設置し、該固定孔２３に対応する固定部品２４により穿設し、さらに該タレット３０を該設置孔２１１内に設置する。
該固定リング２２上の該各固定孔２３に対応する位置には、複数個の組合せ孔２２１を間隔を開けて設置し、それは複数の受動ギア２２２をそれぞれ設置し、しかも該受動ギア２２２反対端は該テーブル台２１と相互に可動設置される。こうして、該各受動ギア２２２は該テーブル台２１と該固定リング２２間において回転し、同時に該受動ギア２２２は該設置孔２１１内に可動設置される。
別に、該タレットテーブル２０は多辺形の構造を呈し、或いは他の回転式タレット３０の設置に便利で、しかも該各タレット３０間の正常な作動に影響を及ぼさない形態を呈するため、その形態は図示に限定するものではない。
【００１０】
該タレット３０は該タレットテーブル２０に開設する設置孔２１１内に組み合わされ、加工の必要に応じて、該各タレット３０上には複数組の適当な切削機能を備えたカッター工具３１を設置する。
該タレット３０内には連動部品３２、作動ギア３３を接続し、該連動部品３２は連動ギア組３２１、ウォーム棒３２２、ウォームホイール３２３を含む。該連動ギア組３２１は３個のギア３２１１、３２１２、３２１３を含み、該各ギア間は相互に噛み合い、しかも該ギア３２１１は該受動ギア２２２と相互に噛み合い、該ギア３２１３は該ウォーム棒３２２を連動する。
該ウォーム棒３２２と該ウォームホイール３２３上には相互に対応するネジヤマを設置し、これにより該ウォーム棒３２２は該ウォームホイール３２３を連動する。
該ウォームホイール３２３と該タレット３０の相互に連接する位置には、複数の相互に対応する孔を設置し、これにより該ウォームホイール３２３は該タレット３０上において固定され、該ウォーム棒３２２が作動する時、該ウォームホイール３２３を連動し、該タレットを回転させることができる。よって動力を出力する時、関連構成部品を駆動可能で、さらには該受動ギア２２２を回転させることができる。しかも、該連動部品３２は該ウォーム棒３２２と該ウォームホイール３２３を連動し、これにより該タレット３０は３６０度の任意回転を行うことができる。該作動ギア３３は該カッター工具３１と相互に連動接続し、しかも該タレット３０において、該タレットテーブル２０により作業区域まで回転移動させられる時、該カッター工具回転装置４０の駆動により、回転動を開始し、多角度の切削加工を行う。
ここで該連動ギア組３２１が含むギアの数と連動方式は、本実施例に限定するものではない。各構成部品を連動可能で、タレット３０を回転させることができるあらゆる設置方式はすべて応用することができる。
【００１１】
該カッター工具回転装置４０は該旋盤台１０上に設置し、しかも関連構成部品を駆動し、該カッター工具３１を回転させる。
該カッター工具回転装置４０は駆動モーター４１を含み、該駆動モーター４１の軸芯位置にはギア組４２を可動接続することができる。該ギア組４２は該駆動棒４３一端と相互に連動接続し、しかも該駆動棒４３の該端は該通孔１１１を通して該ギア組４２と相互に接続する。該駆動棒４３の反対端は該タレットテーブル２０内に穿設され、しかも該端には係合段４３１を設置する。該係合段４３１は相互に対応する係合棒４３２を接続し、該係合棒４３２の反対端は傘状ギア４３３を接続する。該傘状ギア４３３はさらに該タレット３０内に設置する作動ギア３３と相互に噛み合う。
該駆動棒４３の穿設位置は該作業区域Ｗ（図３参照）に偏るため、必要なカッター工具３１を設置したタレット３０を該区域まで移動させた時には、該駆動モーター４１は該ギア組４２を駆動可能で、順番に該駆動棒４３、該傘状ギア４３３、該作動ギア３３を伝動し、これにより切削加工を行う。
また、該ギア組４２は４個のギア４２１、４２２、４２３、４２４を含み、該各ギア間は相互に噛み合い、しかも該ギア４２４は該駆動棒４３と相互に連動接続し、これにより該駆動棒４３と相互に連動接続する傘状ギア４３３を駆動することができる。さらに該傘状ギア４３３は該作動ギア３３と噛み合い連動し、さらには該カッター工具３１を回転させる。
ここで該ギア組４２が含むギアの数と連動方式は、本実施例に限定するものではない。各構成部品を連動可能で、カッター工具３１を回転させることができるあらゆる設置方式はすべて応用することができる。
【００１２】
該タレット回転装置５０は該旋盤台１０上に設置し、しかも関連構成部品を駆動し、既に予定の作業区域まで回転移動したタレット３０を回転させることができる。
該タレット回転装置５０はサーボモーター５１、伝動棒５２、伝動ギア５３、ギアホイール５４を含む。該伝動棒５２は該旋盤台１０に設置する貫孔１０１を通して、該サーボモーター５１と相互接続し、該伝動棒５２の反対端は該タレットテーブル２０内に穿設される。しかも該端はさらに該伝動ギア５３を設置し、該伝動ギア５３はちょうど該ギアホイール５４と相互に噛み合い、かつ該ギアホイール５４は偏芯で該各受動ギア２２２の一つと相互に噛み合う。これにより該受動ギア２２２を連動し、該受動ギア２２２はさらに該タレット３０内の連動部品３２を連動し、該タレット３０を回転させる。
よって該サーボモーター５１が該伝動棒５２を駆動する時、該伝動ギア５３を連動可能で、該ギアホイール５４を連動可能である。該ギアホイール５４はこれにより順番に該受動ギア２２２と該連動部品３２を連動し、作業区域内に位置するタレット３０だけを回転させ、これにより該タレット３０は製造工程の必要に従い多角度回転の切削加工を行うことができる。
【００１３】
続いて本考案実施例自ら任意に３６０度回転が可能な動力サーボタレット台の分解立体図及び作動表示図である図２、３に示すように、機具全体を組立てる時には、先ず動力の出所である駆動モーター４１とサーボモーター５１を該旋盤台１０の予定の位置上にそれぞれ固定し、他の関連部品の組立てを行う。
該カッター工具回転装置４０の組み立て部分では、該ギア組４２を該駆動モーター４１の軸芯位置に接続し、しかも適当な排列方式により該ギア組４２が含む該各ギア４２１、４２２、４２３、４２４を設置する。これにより該各ギア間は相互に噛み合い、該ギア４２４は該通孔１１１に穿設する該駆動棒４３と相互に連動接続する。該駆動棒４３の反対端は該タレットテーブル２０内に穿設され、しかも該駆動棒４３はそれが設置する係合段４３１と係合棒４３２により接続され、該傘状ギア４３３と相互に連動接続する。該傘状ギア４３３はさらに該カッター工具３１と相互に接続する作動ギア３３に噛み合い、これにより該駆動モーター４１はこれら関連構成部品を駆動可能で、該カッター工具３１を回転させる。
また、該タレット回転装置５０の組み立て部分では、該伝動棒５２の一端を該旋盤台１０に設置する貫孔１０１を通して該サーボモーター５１の軸芯位置に接続し、該伝動棒５２の反対端は該タレットテーブル２０内に穿設される。しかも該端に該伝動ギア５３を連動接続し、さらにベアリング５５を該接設凸ブロック１１外縁に嵌設する。さらに、該ベアリング５５外縁において該ギアホイール５４を接続し、これにより該伝動ギア５３は該ギアホイール５４と相互に噛み合う。しかも該ギアホイール５４により予定の作業区域Ｗ方向に向かい偏心設置されるため、作業区域Ｗ内の受動ギア２２２とだけ相互に噛み合うことができ、該受動ギア２２２は該タレット３０内に設置する連動部品３２と相互に接続する。こうして動力により伝動される時、関連構成部品を駆動可能で、該タレット３０を必要な任意の角度まで回転させ、該カッター工具３１に多角度の加工作業を行わせ、全方位の切削作業を行わせる。
【００１４】
該各機具細部の連動構成部品の組合せが完成後、各式の必要なカッター工具３１を設置する複数のタレット３０を該タレットテーブル２０周縁の端面上に挿入設置する。必要なカッター工具３１を設置するタレット３０は該タレットテーブル２０に従い、予定の作業区域Ｗまで回転移動すると、該サーボモーター５１は該伝動棒５２を駆動し、該伝動ギア５３を連動し、該ギアホイール５４を連動する。しかも該作業区域Ｗ方向に向かった偏心設置を呈するギアホイール５４はさらに作業区域Ｗ内の受動ギア２２２を連動し、ここで唯一作動する受動ギア２２２は該タレット３０内の連動部品３２を連動し、さらに該タレット３０は該作業区域Ｗ内において加工の必要に応じて多角度の回転を行う。この時、該駆動モーター４１は該ギア組４２を駆動可能で、該駆動棒４３と該傘状ギア４３３を伝動し、さらに該傘状ギア４３３と相互に噛み合う作動ギア３３を連動し、該カッター工具３１の回転を駆動し、作業区域Ｗ位置の物件に対して全方位の切削作業を行わせる。
ここで、該駆動モーター４１及び該サーボモーター５１とそれがそれぞれ駆動する関連構成部品間の組み立て連接方式は、本実施例に限定するものではない。各部品を接続可能で、機具全体を順調に作動させることができる簡潔な連接方式はすべて本システム中に運用可能である。
【図面の簡単な説明】
【００１５】
【図１】本考案実施例の組合せ立体図である。
【図２】本考案実施例の分解立体図である。
【図３】本考案実施例の作動表示図である。
【符号の説明】
【００１６】
Ｗ  作業区域
１０  旋盤台
１０１  貫孔
１１  接設凸ブロック
１１１  通孔
１２  ピボット
２０  タレットテーブル
２１  テーブル台
２１１  設置孔
２２  固定リング
２２１  組合せ孔
２２２  受動ギア
２３  固定孔
２４  固定部品
３０  タレット
３１  カッター工具
３２  連動部品
３２１  連動ギア組
３２１１  ギア
３２１２  ギア
３２１３  ギア
３２２  ウォーム棒
３２３  ウォームホイール
３３  作動ギア
４０  カッター工具回転装置
４１  駆動モーター
４２  ギア組
４２１  ギア
４２２  ギア
４２３  ギア
４２４  ギア
４３  駆動棒
４３１  係合段
４３２  係合棒
４３３  傘状ギア
５０  タレット回転装置
５１  サーボモーター
５２  伝動棒
５３  伝動ギア
５４  ギアホイール
５５  ベアリング
【図１】
0003129696.tif 000003
【図２】
0003129696.tif 000004
【図３】
0003129696.tif 000005